【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】
記録媒体を互いに圧接された定着体及び加圧体の間に形成されたニップ部に、前記加圧体の回動とともに通過せしめながら、前記定着体により加熱処理を施し、前記定着体を目標温度に制御する制御手段を有する加熱装置において、
複数の記録媒体の連続加熱処理におけるＮ＋１番目の記録媒体の加熱処理中での前記定着体の目標温度は、その記録媒体の先端から長さＳの範囲が、それ以降の範囲よりも高く設定され、
〔長さＳ〕＝〔前記加圧体の一周分の長さ〕−〔Ｎ番目の記録媒体の後端からＮ＋１番目の記録媒体の先端までの間隔〕
であることを特徴とする加熱装置。
【請求項２】
固定支持された加熱体にフィルム部材を介して加圧体を接触させ、前記フィルム部材と前記加圧体の間に形成された圧接ニップ部に記録媒体を導入し、回動する前記フィルム部材と一緒に前記記録媒体を走行移動させることで、前記加熱体の熱エネルギーを前記記録媒体に付与して加熱処理を施し、前記加熱体の温度を検知する温度検知体を備えて前記加熱体を目標温度に制御する制御手段を有する加熱装置において、
複数の記録媒体の連続加熱処理におけるＮ＋１番目の記録媒体の加熱処理中での前記加熱体の目標温度は、その記録媒体の先端から長さＦの範囲が、それ以降の範囲よりも高く設定され、
〔長さＦ〕＝〔前記フィルム部材の一周分の長さ〕−〔Ｎ番目の記録媒体の後端からＮ＋１番目の記録媒体の先端までの間隔〕
であることを特徴とする加熱装置。
【請求項３】
固定支持された加熱体にフィルム部材を介して加圧体を接触させ、前記フィルム部材と前記加圧体の間に形成された圧接ニップ部に記録媒体を導入し、回動する前記フィルム部材及び前記加圧体と一緒に前記記録媒体を走行移動させることで、前記加熱体の熱エネルギーを前記記録媒体に付与して加熱処理を施し、前記加熱体の温度を検知する温度検知体を備えて前記加熱体を目標温度に制御する制御手段を有する加熱装置において、
複数の記録媒体の連続加熱処理におけるＮ＋１番目の記録媒体の加熱処理中での前記加熱体の目標温度は、その記録媒体の先端から長さＳの範囲が、それ以降の範囲よりも高く設定され、
〔長さＳ〕＝〔前記加圧体の一周分の長さ〕−〔Ｎ番目の記録媒体の後端からＮ＋１番目の記録媒体の先端までの間隔〕
であるとともに、
その記録媒体の先端から長さＦの範囲が、それ以降の範囲よりも高く設定され、
〔長さＦ〕＝〔前記フィルム部材の一周分の長さ〕−〔Ｎ番目の記録媒体の後端からＮ＋１番目の記録媒体の先端までの間隔〕
であることを特徴とする加熱装置。
【請求項４】  記録媒体に画像を形成担持させる作像手段と、画像を形成担持させた記録媒体に加熱処理を施す加熱手段を有する画像形成装置において、前記加熱手段が請求項１から３の何れかに記載の加熱装置であることを特徴とする画像形成装置。
【手続補正２】
【補正対象書類名】明細書
【補正対象項目名】００１９
【補正方法】変更
【補正の内容】
【００１９】
【課題を解決するための手段】
本出願における第一の発明では、記録媒体を互いに圧接された定着体及び加圧体の間に形成されたニップ部に、前記加圧体の回動とともに通過せしめながら、前記定着体により加熱処理を施し、前記定着体を目標温度に制御する制御手段を有する加熱装置において、複数の記録媒体の連続加熱処理におけるＮ＋１番目の記録媒体の加熱処理中での前記定着体の目標温度は、その記録媒体の先端から長さＳの範囲が、それ以降の範囲よりも高く設定され、
〔長さＳ〕＝〔前記加圧体の一周分の長さ〕−〔Ｎ番目の記録媒体の後端からＮ＋１番目の記録媒体の先端までの間隔〕
であることを特徴とする加熱装置。
【手続補正３】
【補正対象書類名】明細書
【補正対象項目名】００２０
【補正方法】変更
【補正の内容】
【００２０】
また、第二の発明では、固定支持された加熱体にフィルム部材を介して加圧体を接触させ、前記フィルム部材と前記加圧体の間に形成された圧接ニップ部に記録媒体を導入し、回動する前記フィルム部材と一緒に前記記録媒体を走行移動させることで、前記加熱体の熱エネルギーを前記記録媒体に付与して加熱処理を施し、前記加熱体の温度を検知する温度検知体を備えて前記加熱体を目標温度に制御する制御手段を有する加熱装置において、複数の記録媒体の連続加熱処理におけるＮ＋１番目の記録媒体の加熱処理中での前記加熱体の目標温度は、その記録媒体の先端から長さＦの範囲が、それ以降の範囲よりも高く設定され、
〔長さＦ〕＝〔前記フィルム部材の一周分の長さ〕−〔Ｎ番目の記録媒体の後端からＮ＋１番目の記録媒体の先端までの間隔〕
であることを特徴とする。
【手続補正４】
【補正対象書類名】明細書
【補正対象項目名】００２８
【補正方法】変更
【補正の内容】
【００２８】
すなわち、給紙カセット１０から給紙された記録材Ｐ（記録媒体）は給紙ガイド７に導かれて、やがて搬送路上にある、トップセンサ１３のレバーを倒し、記録材の先端がトップセンサ１３位置を通過したことが検知される。やがて、記録材は感光ドラム１下の転写器６に達する。感光ドラム１上には、一次帯電ローラー１１によって一様均一な帯電がなされた後、レーザー走査露光装置３よりでた画像信号に対応した光Ｌによって潜像が形成される。この潜像は現像装置２によって選択的にトナーが付着させられ顕像となって転写器６へと送られる。転写器６では記録材の背面からトナーと逆の電界を加えることで記録材の上にトナー像が転写される。以上が、記録材（記録媒体）に画像を形成担持させる作像手段である。
【手続補正５】
【補正対象書類名】明細書
【補正対象項目名】００３１
【補正方法】変更
【補正の内容】
【００３１】
加熱体としてのセラミックヒーター３６（以下ヒーター３６と略称する）をヒーターホルダー３１に固定支持させ、これを定着フィルム１７を介して加圧体としての加圧ローラー２０に不図示の加圧手段によって圧接する。定着フィルム１７は加圧ローラー２０の回転駆動によって従動回転し、ニップＮに導入された記録材Ｐを搬送する。３３はヒーター３６の温度を検出し、温度制御を行うための温度検知素子（温度検知体）である。
【手続補正６】
【補正対象書類名】明細書
【補正対象項目名】００３２
【補正方法】変更
【補正の内容】
【００３２】
ヒーター３６は、例えば、基板３７にアルミナ（Ａｌ２Ｏ３）または窒化アルミニウム（ＡｌＮ）を用い、基板３７上に銀・パラジウムからなる抵抗体を厚膜印刷し所望の抵抗値を有する発熱体パターン３８を形成する。更に発熱体上に保護層・定着フィルムとの摺動層としてのガラス層３９を形成する。発熱体形成面の裏側に温度検知素子（サーミスタ）３３を接着固定しヒーター温度をモニターし、そのモニター温度情報が制御回路部（制御手段）１００に入力する。制御回路部１００はヒーター温度（定着ニップ部温度）を所定温度（目標温度）に維持するためにＡＣドライバ１０１を制御してＡＣ電源１０２からヒーターの発熱体３８への通電量を制御する。ヒーター３６の発熱体３８への通電量（供給電力）はＰＩ（比例・積分）制御に基づき、位相制御・波数制御等の周知の手段によりきめ細かく電力供給が行われる。
【手続補正７】
【補正対象書類名】明細書
【補正対象項目名】００３３
【補正方法】変更
【補正の内容】
【００３３】
記録材Ｐの上の未定着トナー像ｔは、定着装置１２で印加された熱および圧力によって記録材Ｐに固着する。ｔ′は定着トナー像である。記録材Ｐの後端がトップセンサ１３（図１）の位置を通過すると、トップセンサ１３のレバーが元に戻り、記録材後端がトップセンサ１３の位置を通過したことが検知される。
【手続補正８】
【補正対象書類名】明細書
【補正対象項目名】００３８
【補正方法】変更
【補正の内容】
【００３８】
すなわち、連続プリント（加熱装置においては、複数の記録媒体の連続加熱処理）を行った時、２枚目以降では、加圧ローラー２０には、紙間で暖められた部分と、前の記録材Ｐのプリントで温度が低下した部分が混在していることになる。
【手続補正９】
【補正対象書類名】明細書
【補正対象項目名】００４０
【補正方法】変更
【補正の内容】
【００４０】
本実施例では、制御回路部１００により、この加圧ローラー温度が低い記録材の先端部分に対して、他の部分よりもヒーター３６の温調温度（定着体又は加熱体の目標温度）を高くしてやり、定着性の悪化を防止する。
【手続補正１０】
【補正対象書類名】明細書
【補正対象項目名】００４３
【補正方法】変更
【補正の内容】
【００４３】
これに対し、連続プリントで、まったくのウエイトなしに次の記録材Ｐが搬送されてきた場合、ヒーター３６は２枚目以降の記録材Ｐの先端からＳｍｍまでの範囲の温調温度を、Ｓｍｍ以降の温調温度よりも高くする。Ｓは加圧ローラーが紙間で予熱されない長さであり、
Ｓ＝（加圧ローラーの周長）−（紙間の長さ）
である。
加圧ローラーの周長は、加圧体の一周分の長さである。紙間の長さは、Ｎ番目の記録媒体の後端からＮ＋１番目の記録媒体の先端までの間隔である。すなわち、複数の記録媒体の連続加熱処理におけるＮ＋１番目の記録媒体の加熱処理中での定着体又は加熱体の目標温度は、その記録媒体の先端から長さＳの範囲が、それ以降の範囲よりも高く設定される。
【手続補正１１】
【補正対象書類名】明細書
【補正対象項目名】００４７
【補正方法】変更
【補正の内容】
【００４７】
したがって、実際の装置では、定着温度の切り替えタイミングとしては、単純に先端部から、ある一定長さ（時間）とするのではなく、紙間の長さの不定性をあらかじめ考慮して、以下のような制御を行うことが必要である。
【手続補正１２】
【補正対象書類名】明細書
【補正対象項目名】００６１
【補正方法】変更
【補正の内容】
【００６１】
ここでＦ＝（定着フィルム周長）−（紙間の長さ）である。
定着フィルム周長は、フィルム部材の一周分の長さである。紙間の長さは、Ｎ番目の記録媒体の後端からＮ＋１番目の記録媒体の先端までの間隔である。すなわち、複数の記録媒体の連続加熱処理におけるＮ＋１番目の記録媒体の加熱処理中での前記加熱体の目標温度は、その記録媒体の先端から長さＦの範囲が、それ以降の範囲よりも高く設定される。
【手続補正１３】
【補正対象書類名】明細書
【補正対象項目名】００６４
【補正方法】変更
【補正の内容】
【００６４】
まず、先端から２３．３３ｍｍに定着温度Ｈ１を用い、次に２３．３３ｍｍ通過した時点で定着温度Ｈ３に切り替える。そして記録材Ｐが定着ニップＮに突入してから３４．９ｍｍ通過したところで定着温度Ｈ２に切り替え、以降その記録材一枚中は、この温度で定着動作を行う。
【手続補正１４】
【補正対象書類名】明細書
【補正対象項目名】００７２
【補正方法】変更
【補正の内容】
【００７２】
【発明の効果】
以上説明したように、本発明によれば、記録媒体を互いに圧接された定着体及び加圧体の間に形成されたニップ部に、前記加圧体の回動とともに通過せしめながら、前記定着体により加熱処理を施し、前記定着体を目標温度に制御する制御手段を有する加熱装置において、加圧体の周長よりも、Ｎ番目の記録媒体後端からＮ＋１番目の記録媒体先端までの間隔が短い、すなわち加圧体の周長よりも紙間の長さが短く、加圧体が紙間で一周に渡って暖められずに周上に温度の低い部分が生じても、その部分の加熱不良を防止し、画像加熱定着装置にあっては、全体に渡って良好な定着性を維持することが可能になった。
【手続補正１５】
【補正対象書類名】明細書
【補正対象項目名】００７３
【補正方法】変更
【補正の内容】
【００７３】
また、固定支持された加熱体にフィルム部材を介して加圧体を接触させ、前記フィルム部材と前記加圧体の間に形成された圧接ニップ部に記録媒体を導入し、回動する前記フィルム部材と一緒に前記記録媒体を走行移動させることで、前記加熱体の熱エネルギーを前記記録媒体に付与して加熱処理を施し、前記加熱体の温度を検知する温度検知体を備えて前記加熱体を目標温度に制御する制御手段を有する加熱装置において、フィルム部材の周長よりも、Ｎ番目の記録媒体後端からＮ＋１番目の記録媒体先端までの間隔が短い、すなわちフィルム部材の周長よりも紙間の長さが短く、フィルム部材が紙間で一周に渡って暖められずに周上に温度の低い部分が生じても、その部分の加熱不良を防止し、画像加熱定着装置にあっては、全体に渡って良好な定着性を維持することが可能になった。